(57)【要約】【課題】情報の表示方向を指示するためだけの特別な操作をユーザが行わなくとも、ユーザの画面に対する入力操作に基づいて当該ユーザの画面に対する位置を特定して、情報をユーザに適した方向に表示できる。【解決手段】静電容量センサ（２）にて検出される入力領域について、制御部（１２）はその大きさに基づいて、ペン先による入力領域であるかペンを持つ手による入力領域であるかを判定し、ペン先によると判定されたペン先領域および手つきによると判定された手つき領域の相互の位置関係に基づいて、表示部（１１）における情報の表示方向を切り換える。【選択図】図１
2014134938.tif 000002
【特許請求の範囲】
【請求項１】
情報を表示する表示画面と、該表示画面に対する入力を検出するセンサとを備え、ペンを用いた入力操作が可能な入力表示装置であって、
前記センサにて検出される入力領域について、当該入力領域の大きさに基づいて、ペン先による入力領域であるかペンを持つ手による入力領域であるかを判定する第１判定部と、
前記第１判定部にてペン先によると判定されたペン先領域および手つきによると判定された手つき領域の相互の位置関係に基づいて、前記表示画面における情報の表示方向を切り換える表示切換部とを備えたことを特徴とする入力表示装置。
【請求項２】
前記第１判定部にてペン先によると判定されたペン先領域および手つきによると判定された手つき領域の相互の距離に応じて、同一のユーザの入力操作によるペン先領域および手つき領域であるか否かを判定する第２判定部をさらに備え、
前記表示切換部は、前記第２判定部にて同一ユーザのものであると判定されたペン先領域および手つき領域の相互の位置関係に基づいて、前記表示画面における情報の表示方向を切り換えることを特徴とする請求項１に記載の入力表示装置。
【請求項３】
前記第２判定部にて同一のユーザの入力操作によるものと判定されたペン先領域および手つき領域のうちの手つき領域の形状が縦長か横長かを判定する第３判定部を備え、
前記表示切換部は、前記第２判定部にて同一のユーザの入力操作によるものと判定されたペン先領域および手つき領域の相互の位置関係と、前記第３判定部にて判定された前記手つき領域が縦長か横長かの情報とに基づいて、前記表示画面における情報の表示方向を切り換えることを特徴とする請求項２に記載の入力表示装置。
【請求項４】
前記センサにて検出される入力に応じて描画表示を行う描画部をさらに備え、
前記描画部は、前記表示切換部が情報の表示方向の切り換えに用いたペン先領域を描画の入力としては使用しないことを特徴とする請求項１から３の何れか１項に記載の入力表示装置。
【請求項５】
前記第１判定部にて判定されたペン先領域が複数ある場合は、
前記第２判定部は、複数のペン先領域それぞれについて、ペン先領域および手つき領域の相互の位置関係に基づいて同一のユーザの入力操作によるものと判定できる手つき領域を特定し、
前記表示切換部は、前記表示画面における複数のペン先領域それぞれに応じた表示領域の情報の表示方向を、前記第２判定部にて同一のユーザの入力操作によるものと判定されたペン先領域および手つき領域の相互の位置関係に基づいて切り換えることを特徴とする特許請求項２から４の何れか１項に記載の入力表示装置。
【発明の詳細な説明】
【技術分野】
【０００１】
本発明は、タッチパネルなどの入力装置を備えたペンによる手書き入力が可能な入力表示装置に関するもので、特に画面を水平或いは、水平に近い状態にして使用する入力表示装置に関する。
【背景技術】
【０００２】
従来、表示装置にタッチパネルなどの入力装置が重ねられた入力表示装置が多用されている。タッチパネルとしては、抵抗膜方式や、静電容量方式、表示部の画素に光センサを備えた光センサ内蔵ＬＣＤ方式などがある。
【０００３】
このような入力表示装置の中でも、例えば、テーブルに画面が設けられたテーブル型の入力表示装置のように、画面を水平状態にて使用するものがある。画面を水平状態で使用する入力表示装置においては、入力表示装置に対するユーザの位置に応じて表示方向（表示される画像の向き）を換えることが行われている。従来、ユーザの位置を特定して表示方向を制御する技術として、種々のものが提案されている。
【０００４】
例えば、特許文献１には、テーブル型の入力表示装置に赤外線センサを設け、該赤外線センサにてユーザを検出して、検出したユーザよりみて画像が正表示されるように、表示方向を制御する提案がされている。
【０００５】
また、特許文献２には、情報端末装置における画面の周囲の４角にセンサを設け、該センサをペンにて接触することにより、表示方向を決定する提案がされている。また、特許文献２には、電源投入時に、画像の向きに応じて４分割した画面を表示し、何れかの画面がペンにて接触されることで選択されると、選択された画面に応じた表示方向に決定する提案もされている。
【０００６】
特許文献３には、画面が設けられたテーブルの周囲にセンサを設け、該センサにてユーザの位置を検出して、検出したユーザの位置とペン入力位置とで、ユーザの視線の方向を表示方向とする提案がされている。
【０００７】
一方、ユーザの位置を特定して表示方向を制御する技術ではないが、特許文献４，５には、画面にペン先や指先が触れることによる本来の入力以外に、画面に手の腹などが触れる手つきによる誤った入力がなされて複数の入力が検出された場合に、手つきによる入力を排除する技術が提案されている。具体的には、手つきによって入力される面積と、ペン先や指先が触れることによって入力される面積との違いによって、最小の面積の入力を有効とし、手つきによる入力を無効とする。
【先行技術文献】
【特許文献】
【０００８】
【特許文献１】特開２００１−３５０５８８号公報（２００１年１２月２１日公開）
【特許文献２】特開平１１−１７５２２８号公報（１９９９年７月２日公開）
【特許文献３】特開２０００−１６３１７９号公報（２０００年６月１６日公開）
【特許文献４】特開平７−３０６７５２号公報（１９９５年１１月２１日公開）
【特許文献５】特開２００６−３９６８６号公報（２００６年２月９日公開）
【発明の概要】
【発明が解決しようとする課題】
【０００９】
しかしながら、前記従来の表示方向を制御する技術には、以下のような問題がある。
【００１０】
例えば、特許文献１にて提案されているものでは、テーブル型の入力表示装置の周囲に複数のユーザがいる場合、その中のどのユーザが入力を行うかまでは検出できない。そのため、複数のユーザによる利用には対応できない。
【００１１】
特許文献２にて提案されている技術では、画面の周囲の４角に設けられたセンサにペンを接触させることで、複数のユーザに対応できる。また、４分割された画面を、電源投入時だけでなくユーザの指示にて表示可能とし、何れかの画面にペンを接触させることで、複数のユーザに対応できる。しかしながら、入力を行うユーザは、入力する度に、センサにペンを接触させたり、４分割画面を表示して画面にペンを接触させたりする、表示方向を指定するための操作が必要となる。
【００１２】
特許文献３にて提案されている技術では、装置を使用するにあたり、電子ペンと利用者の着座位置を一対一に対応付ける必要がある。そのため、複数人のユーザにて利用する場合には、複数のユーザそれぞれについて、電子ペンと利用者との対応を登録する必要がある。
【００１３】
一方、特許文献４，５にて提案されている技術では、手つきによる入力とペン先や指先による入力とを区別することはできるものの、画面におけるどの方向よりユーザが入力しているのかを知ることはできない。
【００１４】
本発明は、上記課題に鑑み成されたもので、情報の表示方向を指示するためだけの特別な操作をユーザが行わなくとも、ユーザの画面に対する入力操作に基づいて当該ユーザの画面に対する位置を特定して、情報をユーザに適した方向に表示することができる入力表示装置を提供することを目的としている。
【課題を解決するための手段】
【００１５】
上記の課題を解決するために、本発明の一態様に係る入力表示装置は、情報を表示する表示画面と、該表示画面に対する入力を検出するセンサとを備え、ペンを用いた入力操作が可能な入力表示装置であって、前記センサにて検出される入力領域について、当該入力領域の大きさに基づいて、ペン先による入力領域であるかペンを持つ手による入力領域であるかを判定する第１判定部と、前記第１判定部にてペン先によると判定されたペン先領域および手つきによると判定された手つき領域が、同一のユーザの入力操作によるペン先領域および手つき領域であるか否かを判定する第２判定部と、前記第２判定部にて同一のユーザの入力操作によるものと判定されたペン先領域および手つき領域の相互の位置関係に基づいて、前記表示画面における情報の表示方向を切り換える表示切換部とを備えたことを特徴としている。
【発明の効果】
【００１６】
本発明の一態様によれば、情報の表示方向を指示するためだけの特別な操作をユーザが行わなくとも、ユーザの画面に対する入力操作に基づいて当該ユーザの画面に対する位置を特定して、情報をユーザに適した方向に表示することが可能になるという効果を奏する。
【図面の簡単な説明】
【００１７】
【図１】本発明の実施形態１である入力表示装置の構成を示すブロック図である。
【図２】実施形態１の入力表示装置に対して書き込み（入力）を行うユーザの位置と、入力表示画面に表示される画像の表示方向との関係を示す説明図である。
【図３】実施形態１の入力表示装置が備える静電容量センサにて検出された連続した範囲を示す説明図である。
【図４】実施形態１の入力表示装置における表示方向制御の手順を示すフローチャートである。
【図５】本発明の実施形態２である入力表示装置に対して書き込み（入力）を行うユーザの位置と、入力表示画面に表示される画像の表示方向との関係を示す説明図である。
【図６】実施形態２の入力表示装置の画面に入力ペンを用いて入力するユーザの位置に応じたメニュー表示の一例のツールバーを示す説明図である。
【図７】実施形態２の入力表示装置における表示方向制御の手順を示すフローチャートである。
【図８】実施形態３の入力表示装置における入力ユーザの位置と入力ユーザの利き手とを判断する方法を説明する図面である。
【図９】実施形態３の入力表示装置における入力ユーザの位置と入力ユーザの利き手とを判断する方法を説明する図面である。
【図１０】実施形態３の入力表示装置における表示方向制御の手順を示すフローチャートである。
【図１１】実施形態２，３の変形例の入力表示装置の表示方向の切り換えを示す説明図である。
【図１２】実施形態４の入力表示装置における表示方向制御の手順を示すフローチャートである。
【図１３】実施形態４の入力表示装置における表示方向制御の手順を示すフローチャートである。
【発明を実施するための形態】
【００１８】
本発明を以下の実施の形態により詳細に説明する。なお、以下の説明においては、同一の機能および作用を示す部材については、同一の符号を付し、説明を省略する。
【００１９】
〔実施形態１〕
図２は、本発明の実施形態１である入力表示装置１Ａに対して書き込み（入力）を行うユーザの位置と、入力表示画面（以下、単に画面と称する）１０に表示される画像の表示方向との関係を示す説明図である。
【００２０】
図２の（ａ）は、ユーザＡにより入力が行われている状態を示している。画面１０に表示される画像は、ユーザＡより見て正方向を向いている。これに対して、図２の（ｂ）は、ユーザＡとは画面１０を挟んで対峙するユーザＢがユーザＡに代わって入力を開始した状態を示している。（ｂ）では、画面１０の表示は、ユーザＡが入力していたときの向きから１８０°回転して、ユーザＢより見て正方向を向いている。以下、画面１０に対して入力を行っているユーザを入力ユーザと称する。
【００２１】
図２の例に示すように、入力表示装置１Ａにおいては、画面１０を挟んで対峙する第１サイドと第２サイドとを、画面１０に対してユーザが入力操作を行う位置としている。そして、ユーザによる入力操作に基づいて、入力ユーザの位置が第１サイドであるか第２サイドであるかを判別し、入力ユーザより見て正方向を向くように、画面１０における情報の表示方向を制御する。
【００２２】
図１は、入力表示装置１Ａの構成を示すブロック図である。入力表示装置１Ａは、静電容量センサ２、センサ駆動部／容量値受信部３、表示部１１、表示駆動部９、および制御部１２を備えている。制御部１２は、図示しないＣＰＵ，ＲＯＭ，ＲＡＭにて構成され、形状／手つき判定部４、タッチ認識処理部５、ユーザ位置判断部６、表示方向判定部７および描画情報制御部８を構築する。
【００２３】
静電容量センサ（センサ）２は、タッチパネルであり、面状に複数本のマトリックス状に配置された線から、近接する物体との間の静電容量を検出することにより物体の形状を検出可能なセンサである。静電容量センサ２は、例えば、４０９６×２１６０の各位置の容量を検出することが可能である。ここでは、図２に示すように、第１サイドに位置するユーザより見て画面１０の左上の角を（０，０）、右下の角を（４０９５、２１５９）として、座標が設定されており、それぞれの座標に対して容量が検出される。なお、タッチパネルは、静電容量方式に限らず、接触／非接触に関わらず、近接する物体の形状を捉えることが可能であれば、その他の方式のものであってもよい。
【００２４】
センサ駆動部／容量値受信部３は、静電容量センサ２を駆動し、その結果より静電容量値を検出するものである。センサ駆動部／容量値受信部３は、検出した静電容量値を制御部１２に送る。
【００２５】
制御部（第１判定部、第２判定部、第３判定部、表示切換部）１２における形状／手つき判定部４は、センサ駆動部／容量値受信部３にて検出された静電容量値に基づき、画面１０に近接する物体の形状を判定するものである。画面に近接する物体の形状は、物体の近接を示す静電容量をもつ連続した範囲の形状に相当する。図３に、静電容量センサ２にて検出された連続した範囲を示す。
【００２６】
形状／手つき判定部４（第１判定部）は、検出された連続した範囲の大きさにより、検出した物体がペン先であるか、手つきであるかを判定する。なお、手つきとは、画面１０に手の腹などが触れる現象である。具体的には、形状／手つき判定部４は、連続した範囲の面積を所定値Ａと比較し、連続した範囲の面積が所定値Ａ以下の場合はペン先と判定し、所定値Ａよりも大きな場合は手つきと判定する。ここで、所定値Ａとは、ペン先と想定される大きさの上限値である。
【００２７】
図３に示すように、連続した範囲の、Ｘ軸値の最小値（min_x），最大値（max_x）、Ｙ軸値の最小値（min_y），最大値（max_y）に基づいて、Ｙ軸方向の長さがＸ軸方向の長さよりも長い場合に縦長と判定し、Ｙ軸方向の長さがＸ軸方向の長さよりも短い場合に横長と判定する。形状／手つき判定部４は、判定した結果を、タッチ認識処理部５とユーザ位置判断部６とに送る。
【００２８】
タッチ認識処理部５は、形状／手つき判定部４の判定結果に基づいてペン先の位置を判定し、ペン先の位置がメニュー位置であればメニュー処理を行い、メニュー位置でない場合は描画処理を行う。
【００２９】
ユーザ位置判断部（表示切換部）６は、形状／手つき判定部４の判定結果に基づいて、入力ユーザの画面１０に対する位置を判断するものである。ユーザ位置判断部６の詳細については後述する。ユーザ位置判断部６は、判断した結果を描画情報制御部８に送る。
【００３０】
表示方向判定部（表示切換部）７は、ユーザ位置判断部６の判断した結果に基づいて、画面１０における表示方向を判定するものである。ここでは、表示方向が判定される対象の表示は、画面１０に表示される表示内容の全体、あるいはメニュー表示である。メニュー表示は、画面に表示される表示内容の一部に相当する。
【００３１】
描画情報制御部（表示切換部、描画部）８は、内部に図示していない記憶部を備えており、該記憶部に、手書きされた情報やグラフ情報等の描画情報と一時的に描画情報にオーバーラップして表示するメニュー情報とを別レイヤーにて保持している。描画情報制御部８は、タッチ認識処理部５からのメニュー処理あるいは描画処理と、表示方向判定部７からの表示方向の判定の結果とに基づいて、表示部１１に表示する内容を記憶している上記記憶部の内容を更新するように制御する。
【００３２】
表示駆動部９は、描画情報制御部８に備えられた上記記憶部に記憶された情報に基づいて表示部１１を駆動し、情報を表示部１１に表示するものである。
【００３３】
表示部１１は、情報をユーザに画面１０に表示することにより与えるためのもので、例えば液晶表示、ＥＬ表示等の平面形状からなる。表示部１１の上面に上記静電容量センサ２が重ねて設けられている。
【００３４】
図４は、入力表示装置１Ａにおける表示方向制御の手順を示すフローチャートである。制御部１２は、センサ駆動部／容量値受信部３にて検出された静電容量値の変化の有無にて、静電容量センサ２へのユーザによる入力を検出したか否かを判断する（Ｓ１）。ここで、ユーザによる入力を検出した場合はＳ２に進み、検出しない場合は入力を検出するまでＳ１の判断を繰り返す。
【００３５】
Ｓ２では、制御部１２は、Ｓ１で検出した入力の内、連続した範囲を１つの入力として入力数を検出する。例えば、ペン先による入力だけを検出した場合や手つきによる入力だけを検出した場合は、それぞれ１として検出し、ペン先による入力と手つきによる入力の両方がある場合は２として検出する。
【００３６】
Ｓ３では、制御部１２は、Ｓ２において入力としてカウントしたそれぞれの連続した範囲の大きさを検出する。Ｓ４では、制御部１２は、Ｓ２にて検出した入力数が１であるか否かを判断し、入力数が１である場合はＳ１２に進み、１でない場合はＳ５に進む。
【００３７】
Ｓ１２では、制御部１２は、その入力が手つきによる入力であるか否か、つまり、検出された連続した範囲が手つきによって入力された手つき領域であるか否かを判断する。検出された連続した範囲が手つき領域である場合はＳ１に戻り、手つき領域でない場合は、Ｓ１３に進む。
【００３８】
具体的には、Ｓ３で検出した、連続した範囲の大きさと、前記所定値Ａ（ペン先と想定される大きさの上限値）とを比較し、連続した範囲の大きさが所定値Ａよりも大きい場合は、検出された連続した範囲は、手つき領域であると判断する。また、連続した範囲の大きさが所定値Ａ以下である場合は、ペン先によって入力されたペン先領域であると判断する。
【００３９】
Ｓ１３では、制御部１２は、ペン先領域の中心部分の座標（中心座標）を算出して、入力処理である描画処理あるいはメニュー処理を行う。ペン先領域の中心座標が、メニュー表示の表示位置に対応する場合は、その位置に示されるメニュー処理を実行し、メニュー表示の表示位置でない場合は描画処理を行う。
【００４０】
Ｓ１４では、再度入力を検出する。Ｓ１４における入力の検出とは、静電容量センサ２による入力の有無と、入力領域の検出を意味する。Ｓ１５では、制御部１２は、Ｓ１４にてペン先が検出されなくなったか否かを判断し、ペン先が画面１０より離されてペン先が検出されなくなった場合はＳ１へと戻り、次の入力を待つ。一方、ペン先が画面１０よりアップされず、ペン先が検出されている場合はＳ１３へと戻り、Ｓ１４にて検出した入力領域に対する処理を実行する。
【００４１】
一方、Ｓ２で検出された入力数が１ではなく、Ｓ４にてＳ５に進むと、制御部１２は、入力数が２であるか否かを判断し、入力数が２である場合はＳ６に進み、２でない場合は処理できないとしてＳ１に戻る。入力数が２でない場合とは、ペン先と手つきによる入力以外に、他の入力が検出されている場合である。
【００４２】
Ｓ６では、制御部１２は、Ｓ３で検出した２つの入力が、手つきによる入力とペン先による入力であるか否か、つまり、検出された２つの連続した範囲が手つき領域とペン先領域であるか否かを判断する。ここで、手つき領域とペン先領域でない場合はＳ１に戻り、手つき領域とペン先領域である場合は、Ｓ７に進む。
【００４３】
具体的には、Ｓ５で検出した２つの連続した範囲それぞれの大きさと前記所定値Ａとを比較し、いずれかの連続した範囲の大きさが所定値Ａ以下である場合は、手つき領域とペン先領域であると判断し、いずれの連続した範囲の大きさとも所定値Ａよりも大きい場合は、手つき領域とペン先領域ではないと判断する。手つき領域とペン先領域ではない場合とは、両方ともが手つき領域である場合などである。
【００４４】
Ｓ７では、制御部１２は、画面１０上におけるペン先領域の位置と手つき領域の位置とから、入力ユーザの位置を判断する。具体的には、ペン先領域の中心座標と、手つき領域の中心座標とをそれぞれ算出し、第１サイドと第２サイドとが対峙する方向に平行なＹ軸の座標値を比較する。そして、ペン先領域の中心座標のＹ軸値が手つき領域の中心座標のＹ軸値よりも大きい場合は、入力ユーザの位置は、図２における第２サイドであると判断する。これは、図２（ｂ）に示すように、第２サイドに位置するユーザＢが入力ペンを用いて入力する場合、ペン先領域のＹ軸値が、ペンを持つ手の腹が触れた手つき領域のＹ軸値よりも必ず大きな値となることを利用している。
【００４５】
一方、ペン先領域の中心座標のＹ軸値が手つき領域の中心座標のＹ軸値以下の場合は、入力ユーザの位置は、図２における第１サイドであると判断する。これは、図２（ａ）に示すように、第１サイドに位置するユーザＡが入力ペンを用いて入力する場合、ペン先領域のＹ軸値が、ペンを持つ手の腹が触れた手つき領域のＹ軸値よりも必ず小さな値となることを利用している。
【００４６】
Ｓ７において、画面１０に対する入力ユーザの位置が第１サイドであると判断するとＳ９に進み、第２サイドであると判断するとＳ８を経て、Ｓ９に進む。Ｓ８では、画面１０の表示方向を１８０度回転させる。入力表示装置１Ａにおいては、第１サイドに位置するユーザに対して正方向を向いている方向を表示方向のデフォルトとしているため、入力ユーザの位置が第２サイドである場合は、Ｓ８に入って表示方向をデフォルトより１８０度回転させた表示とする。
【００４７】
Ｓ９では、制御部１２は、表示方向を変更したか否かを判断し、変更した場合はＳ１０に進み、変更していない場合はＳ１３に進む。Ｓ１０では、制御部１２は、静電容量センサ２による入力を検出する。Ｓ１１では、制御部１２は、Ｓ１０にてペン先が検出されなくなったか否かを判断し、ペン先が画面１０より離されてペン先が検出されなくなった場合は、Ｓ１へと戻る。一方、ペン先が画面１０よりアップされず、ペン先が検出されていると判断した場合はＳ１０へと戻る。
【００４８】
これらＳ９〜Ｓ１１の処理は、Ｓ８にて表示方向の変更を行う場合に、変更する前の表示状態では変更後の描画位置を特定することができないためである。Ｓ９〜Ｓ１１の処理を行って、変更後の表示に対応して入力がなされるまでの間の描画を使用しないようにする。表示方向が変更されることで、入力ユーザは、一旦、ペン先をアップさせて画面１０の変更後の表示に見合った正しい位置にペン先を置き直すので、表示方向を変更した場合は、ペン先がアップされたことを検出して、処理をＳ１に戻す。画面１０の変更後の表示に見合った正しい位置にペン先が置き直された後は、Ｓ９からＳ１３に進み、変更後の表示に対応した入力処理を検出する。
【００４９】
〔実施形態２〕
本発明のその他の実施形態について説明する。なお、説明の便宜上、実施形態１と同一の機能を有する部材には、同一の部材番号を付して説明を省略する。
【００５０】
実施形態１の入力表示装置１Ａは、画面１０を挟んで対峙する第１サイドおよび第２サイドのうちのどちら側からの入力であるかを判断するものであった。これに対し、実施形態２では、画面１０の４辺に相当する第１サイド〜第４サイドのうちの何れの側からの入力であるかを判断するものである。
【００５１】
図５は、本発明の実施形態２である入力表示装置１Ｂに対して書き込み（入力）を行うユーザの位置と、入力表示画面（以下、単に画面と称する）１０に表示される画像の表示方向との関係を示す説明図である。
【００５２】
本実施形態では、画面１０が長方形であることを想定して説明しており、表示方向の変更はメニュー表示の向きを変更するとして説明を行う。しかしながら、画面１０が正方形である場合や、画面１０に表示する情報の一部が欠けても良い場合は、第１の実施の形態と同様に画面１０に表示される表示内容の全体の表示方向を変えるようにしても良い。また、図５では、第１サイドと第３サイドに位置する２人のユーザが入力するようすが描かれているが、第１サイド〜第４サイドの各位置にユーザが位置しており、４人のユーザが入力することも可能である。
【００５３】
図６は、入力表示装置の画面１０に入力ペン３１を用いて入力するユーザの位置に応じたメニュー表示の一例のツールバー３０を示す説明図である。
【００５４】
形状／手つき判定部（第２判定部，第３判定部）４は、手つき領域かペン先領域かの判定にて、ペン先と手つきの両方が同時に検出されたと判定すると、ペン先に対する手つきの位置が、同一のユーザによるものと想定できる所定の範囲内に存在するか否かを判定すると共に、手つきの形状が所定方向に対して縦長であるか横長であるかの判定を行う。なお、ペン先と手つきの両方が同時に検出されたと判定する場合の「同時」とは、画面１０に対する手つきとペン先の各接触が同時に起こっている状態を指しており、接触開始のタイミングが同時という意味ではない。
【００５５】
図７は、入力表示装置１Ｂにおける表示方向制御の手順を示すフローチャートである。制御部１２は、センサ駆動部／容量値受信部３にて検出された静電容量値の変化の有無にて、静電容量センサ２へのユーザによる入力を検出したか否かを判断する（Ｓ２１）。ここで、ユーザによる入力を検出した場合はＳ２２に進み、検出しない場合は入力を検出するまでＳ２１の判断を繰り返す。
【００５６】
Ｓ２２では、制御部１２は、Ｓ２１において入力が検出されたそれぞれの連続した範囲の大きさを検出する。Ｓ２３では、制御部１２は、Ｓ２２で検出したそれぞれの連続した範囲の大きさに基づいて、ペン先領域が含まれているか否かを判断し、含まれていない場合はＳ２１に戻り、含まれている場合はＳ２４に進む。
【００５７】
具体的には、Ｓ２２で検出した、それぞれの連続した範囲の大きさと前記所定値Ａとを比較し、いずれかの連続した範囲の大きさが所定値Ａ以下である場合は、ペン先領域が含まれている判断し、いずれの連続した範囲の大きさとも所定値Ａよりも大きい場合は、ペン先領域が含まれていないと判断する。
【００５８】
Ｓ２４では、制御部１２は、Ｓ２２で検出したそれぞれの連続した範囲の大きさに基づいて、手つき領域が含まれているか否かを判断し、含まれている場合はＳ２５に進み、含まれていない場合はＳ３１に進む。
【００５９】
具体的には、Ｓ２２で検出した、それぞれの連続した範囲の大きさと前記所定値Ａとを比較し、いずれかの連続した範囲の大きさが所定値Ａよりも大きい場合は、手つきを含むと判断し、いずれの連続した範囲の大きさも所定値Ａ以下である場合は、手つきを含まないと判断する。
【００６０】
Ｓ２５では、制御部１２は、Ｓ２３にて含まれると判断したペン先領域と、Ｓ２４にて含まれると判断した手つき領域とが、同一ユーザのものであるか否かを判断する。具体的には、ペン先領域と手つき領域とが、同一ユーザのものと想定できる所定の範囲内に存在するか否かを判断し、存在する場合は同一ユーザのものと判断し、存在しない場合は同一ユーザのものではないと判断する。ここで、同一ユーザのものであると判断するとＳ２６に進み、同一ユーザのものでないと判断するとＳ３１に進む。
【００６１】
Ｓ２６では、制御部１２は、メニューの表示の指示があったか否かを判断し、指示があったと判断した場合はＳ２７に進み、指示がなかった場合はＳ３１に進む。メニューの表示の指示方法に関しては、別途スイッチを操作する等の方法を採用することにより解決することが可能である。
【００６２】
Ｓ２７では、Ｓ２２にて検出された連続した範囲のうちの手つき領域について、Ｘ軸値の最小値（min_x），最大値（max_x）、Ｙ軸値の最小値（min_y），最大値（max_y）に基づいて、縦長が横長かを判断する。前述したように、Ｙ軸方向の長さがＸ軸方向の長さよりも長い場合は縦長と判定し、Ｙ軸方向の長さがＸ軸方向の長さよりも短い場合は横長と判定する。
【００６３】
手つき領域の形状が縦長（Ｙ軸に沿って長い）である場合は、図５における、対峙する方向がＹ軸に平行な第１サイドあるいは第３サイドからの入力であり、手つき領域の形状が横長（Ｘ軸に沿って長い）である場合は、図５における、対峙する方向がＸ軸に平行な第２サイドあるいは第４サイドからの入力でると判断することができる。
【００６４】
Ｓ２７において、手つき領域の形状が縦長であると判断した場合はＳ２８に進み、そうでないと判断した場合はＳ３７に進む。
【００６５】
Ｓ２８では、制御部１２は、入力ユーザの位置が、第１サイドあるいは第３サイドの何れであるかを、画面１０上におけるペン先領域の位置と手つき領域の位置とから判断する。なお、判断の手法は、実施形態１の入力表示装置１Ａが、図４のフローチャートのＳ７において、入力ユーザの位置が第１サイドと第２サイドの何れであるかを判断した手法と同じである。
【００６６】
具体的には、ペン先領域の中心座標と、手つき領域の中心座標とをそれぞれ算出し、第１サイドと第３サイドとが対峙する方向に平行なＹ軸の座標値を比較する。そして、ペン先領域の中心座標のＹ軸値が手つき領域の中心座標のＹ軸値よりも大きい場合は、入力ユーザの位置は、図５における第３サイドであると判断する。一方、ペン先領域の中心座標のＹ軸値が手つき領域の中心座標のＹ軸値以下の場合は、入力ユーザの位置は、図５における第１サイドであると判断する。
【００６７】
Ｓ２８において、入力ユーザの位置が第１サイドであると判断するとＳ３０に進み、第３サイドであると判断するとＳ２９に進む。Ｓ３０では、第１サイドに位置するユーザから見て正方向を向くようにメニュー表示を行い、Ｓ２９では、第３サイドに位置するユーザから見て正方向を向くようにメニュー表示を行う。
【００６８】
Ｓ３７では、制御部１２は、入力ユーザの位置が、第２サイドあるいは第４サイドの何れであるかを、画面１０上におけるペン先領域の位置と手つき領域の位置とから判断する。具体的には、ペン先領域の中心座標と、手つき領域の中心座標とをそれぞれ算出し、第２サイドと第４サイドとが対峙する方向に平行なＸ軸の座標値を比較する。そして、ペン先領域の中心座標のＸ軸値が手つき領域の中心座標のＸ軸値よりも大きい場合は、入力ユーザの位置は、図５における第４サイドであると判断する。一方、ペン先領域の中心座標のＸ軸値が手つき領域の中心座標のＸ軸値以下の場合は、入力ユーザの位置は、図５における第２サイドであると判断する。
【００６９】
Ｓ３７において、入力ユーザの位置が第２サイドであると判断するとＳ３９に進み、第４サイドであると判断するとＳ３８に進む。Ｓ３９では、第２サイドに位置するユーザからみて正方向を向くようにメニュー表示を行い、Ｓ３８では、第４サイドに位置するユーザから見て正方向を向くようにメニュー表示を行う。
【００７０】
上記Ｓ２７〜Ｓ３０、Ｓ３７〜Ｓ３９の処理は、ユーザによる入力操作に基づいて、入力ユーザの位置を判断し、入力ユーザから見て正方向を向くようにメニューを表示するための処理である。
【００７１】
一方、Ｓ３１では、制御部１２は、ペン先領域の中心座標を算出して、メニュー表示の位置であるか否かを判断する。なお、Ｓ２６にてメニュー表示の指示がなかったと判断されて、Ｓ３１に進むのは、予めＳ２８、Ｓ３０、Ｓ３８、Ｓ３９にてメニューが表示されていることが前提となる。Ｓ３１において、ペン先領域の中心座標が、メニュー表示の位置である場合は、Ｓ３２に進み、メニュー表示の表示位置でない場合は、Ｓ３４に進む。
【００７２】
Ｓ３２では、画面１０よりペン先がアップＵＰされたか否かを判断し、ペン先がアップされたことを検出するとＳ３３に進み、ペン先がアップされた位置のメニュー項目を実行する。
【００７３】
Ｓ３４では、入力処理としてメニューで選択されている処理を行い、Ｓ３５にてペン先の位置を検出し、Ｓ３６にてペン先がアップされたか否かを判断して、ペン先がアップされるまで処理を繰り返す。
【００７４】
〔実施形態３〕
本発明のその他の実施形態について説明する。なお、説明の便宜上、実施形態１、２と同一の機能を有する部材には、同一の部材番号を付して説明を省略する。
【００７５】
実施形態２の入力表示装置１Ｂは、画面１０の４辺に相当する第１サイド〜第４サイドのうちの何れかの側からの入力であるかを判断して、入力ユーザから見て正方向を向くようにメニューを表示するものである。これに対し、実施形態３の入力表示装置１Ｃは、入力表示装置１Ｂの機能に加えて、さらに、入力ユーザの利き手を検出して、手に隠れない位置にメニューを表示するものである。
【００７６】
図８、図９は、入力ユーザの位置と入力ユーザの入力を行っている手が左手か右手かの利き手とを判断する方法を説明する図面である。図８に示すように入力を行うことで、静電容量センサ２には、図９に示すような容量の変化が生じ、これにより、ペン先領域４０と手つき領域４１とを取得することができる。
【００７７】
このとき、図８に示すように、ペン先領域４０を中心として４つの象限を想定する。そして、手つき領域４１がどの象限に含まれ、かつ、手つき領域４１の形状が縦長であるか横長であるかを判断する。手つき領域４１が含まれる象限と、手つき領域４１の形状の組み合わせとから、第１サイド〜第４サイドのうちの何れの側から入力を行っており、この入力ユーザが右利きか左利きかを判断することが可能となる。本実施形態では、第１サイドに位置するユーザに対して正方向になるように４つの象限を設定する。
【００７８】
図１０は、入力表示装置１Ｃにおける表示方向制御の手順を示すフローチャートである。なお、図１０におけるＳ２１〜Ｓ２６、Ｓ３１〜Ｓ３６の処理は、図７のフローチャートにおけるＳ２１〜Ｓ２６、Ｓ３１〜Ｓ３６の処理と同じであるので、説明を省略する。
【００７９】
Ｓ４１では、制御部１２は、図８、図９に示したように、ペン先領域４１を中心として想定した４つの象限にうちの第４象限に手つき領域４１が検出されているか否かを判断する。第４象限に手つきが発生するのは、第２サイドに位置する左利きユーザか、第１サイドに位置する右利きユーザの場合である。
【００８０】
そこで、第４象限にて検出されている場合はＳ４５に進み、図７のフローチャートにおけるＳ２７と同様に、手つき領域４１の形状が縦長であるか横長であるかを判断する。手つき領域の形状が縦長（Ｙ軸に沿って長い）となるのは、図５における、対峙する方向がＹ軸に平行な第１サイドあるいは第３サイドからの入力であり、手つき領域の形状が横長（Ｘ軸に沿って長い）となるのは、図５における、対峙する方向がＸ軸に平行な第２サイドあるいは第４サイドからの入力である。
【００８１】
したがって、Ｓ４５において、手つき領域の形状が縦長の場合は、第１サイドに位置する右利きユーザと判断することができ、Ｓ４６に進み、第１サイドからの右利きを設定する。一方、Ｓ４５において、手つき領域の形状が横長の場合は、第２サイドに位置する左利きユーザと判断することができ、Ｓ４７に進み、第２サイドからの左利きを設定する。
【００８２】
一方、Ｓ４１において、手つき領域４１が第４象限にて検出されていない場合は、Ｓ４２に進み、第３象限に手つき領域４１が検出されているか否かを判断する。第３象限に手つきが発生するのは、第１サイドに位置する左利きユーザか、第４サイドに位置する右利きユーザの場合である。
【００８３】
そこで、第３象限にて検出されている場合はＳ４８に進み、手つき領域４１の形状が縦長であるか横長であるかを判断し、手つき領域の形状が縦長の場合は、第１サイドに位置する左利きユーザと判断して、Ｓ４９に進み、第１サイドからの左利きを設定する。一方、Ｓ４８において、手つき領域の形状が横長の場合は、第４サイドに位置する右利きユーザと判断して、Ｓ５０に進み、第４サイドからの右利きを設定する。
【００８４】
また、Ｓ４２において、手つき領域４１が第３象限に検出されていない場合は、Ｓ４３に進み、第２象限に手つき領域４１が検出されているか否かを判断する。第２象限に手つきが発生するのは、第３サイドに位置する右利きユーザか、第４サイドに位置する左利きユーザの場合である。
【００８５】
そこで、第２象限にて検出されている場合はＳ５１に進み、手つき領域４１の形状が縦長であるか横長であるかを判断し、手つき領域の形状が縦長の場合は、第３サイドに位置する右利きユーザと判断して、Ｓ５２に進み、第３サイドからの右利きを設定する。一方、Ｓ５１において、手つき領域の形状が横長の場合は、第４サイドに位置する左利きユーザと判断して、Ｓ５３に進み、第４サイドからの左利きを設定する。
【００８６】
Ｓ４３において、手つき領域４１が第２象限に検出されていない場合は、手つき領域４１が第１象限に検出されていることは必然であるので、Ｓ４４に進み、手つき領域４１の形状が縦長であるか横長であるかを判断する。そして、手つき領域の形状が縦長の場合は、第３サイドに位置する左利きユーザと判断して、Ｓ５４に進み、第３サイドからの左利きを設定する。一方、Ｓ４４において、手つき領域の形状が横長の場合は、第２サイドに位置する右利きユーザと判断して、Ｓ５５に進み、第２サイドからの右利きを設定する。
【００８７】
Ｓ５６では、Ｓ４６、Ｓ４７、Ｓ４９、Ｓ５０、Ｓ５２、Ｓ５３、Ｓ５４あるいはＳ５５において設定された入力ユーザの位置と利き手の情報とに基づいて、メニューを表示する。
【００８８】
例えば、第１サイドからの右利きである場合は、第１サイドから入力するユーザの右手に隠れないように、第３象限の領域に表示する。第２サイドからの左利きである場合は、第２サイドから入力するユーザの左手に隠れないように、第１象限の領域に表示する。
【００８９】
ところで、実施形態１〜３では、表示方向を変更した後、別のサイドから入力が行われるまで表示方向を維持する構成を例示したが、これに限られるものではない。例えば、図１１に示すように、第１〜第４サイドのうちの１つを主（Ｍ）に設定して残り３つを従（Ｓ）とし、入力ペン先のアップ後の所定時間内に再入力が無い場合や、手つきが検出されなくなった場合に、表示方向を主に設定されている方向へと戻す様に制御しても良い。図１１は、実施形態２，３の変形例の入力表示装置の表示方向の切り換えを示す説明図である。
【００９０】
〔実施形態４〕
本発明のその他の実施形態について以下説明する。なお、説明の便宜上、実施形態１〜３と同一の機能を有する部材には、同一の部材番号を付して説明を省略する。
【００９１】
実施形態１，２の入力表示装置１Ａ，１Ｂは、第１〜第４サイドに位置する何れかのユーザが入力する場合を説明した。これに対し、第４実施形態の入力表示装置１Ｄは、第１〜第４サイドに位置する各ユーザが同時に入力する場合について、各ユーザより見て正方向となるようにメニュー表示するものである。
【００９２】
図１２、図１３は、実施形態４の入力表示装置における表示方向制御の手順を示すフローチャートである。Ｓ６１では、制御部１２は、センサ駆動部／容量値受信部３にて検出された静電容量値の変化の有無にて、静電容量センサ２へのユーザによる入力を検出したか否かを判断する。ここで、ユーザによる入力を検出した場合はＳ６２に進み、ユーザによる入力を検出しない場合は、処理を終了する。
【００９３】
Ｓ６２では、Ｓ６１において入力が検出されたそれぞれの連続した範囲の大きさを検出する。Ｓ６３では、制御部１２は、Ｓ６２で検出したそれぞれの連続した範囲の大きさに基づいて、ペン先領域の数をカウントする。前述したように、連続した範囲の大きさそれぞれと前記所定値Ａとを比較し、連続した範囲の大きさが所定値Ａ以下であるものをペン先領域であると判断する。
【００９４】
Ｓ６４では、Ｓ６３にてカウントした数値を変数ｉに設定する。Ｓ６５では、変数ｉが０であるか否かを判断し、変数ｉが０である場合は、処理すべき大きさの領域が無いと判断し、処理を終了する。一方、変数ｉが０でない場合はＳ６６に進む。
【００９５】
Ｓ６６では、制御部１２は、Ｓ６２で検出したそれぞれの連続した範囲の大きさに基づいて、手つき領域が含まれているか否かを判断し、含む場合はＳ６７に進み、含まない場合はＳ７５に進む。Ｓ６６では、前述したように、連続した範囲の大きさが所定値Ａよりも大きいものを手つき領域であると判断する。
【００９６】
Ｓ６７では、制御部１２は、Ｓ６３にて含まれると判断したペン先領域と、Ｓ６６にて含まれると判断した手つき領域とが、同一ユーザのものであるか否かを判断する。具体的には、ペン先領域と手つき領域とが、同一ユーザのものと想定できる所定の範囲内に存在するか否かを判断し、存在する場合は同一ユーザのものと判断し、存在しない場合は同一ユーザのものではないと判断する。ここで、同一ユーザのものであると判断するとＳ６８に進み、同一ユーザのものでないと判断するとＳ７５に進む。
【００９７】
Ｓ６８では、図７のフローチャートにおけるＳ２７と同様に、手つき領域の形状が縦長であるか横長であるかを判断する。手つき領域の形状が縦長となるのは、前述したように、図５における第１サイドあるいは第３サイドからの入力であり、手つき領域の形状が横長となるのは、図５における第２サイドあるいは第４サイドからの入力である。Ｓ６８において、手つき領域の形状が縦長の場合はＳ６９に進み、横長の場合はＳ７２に進む。
【００９８】
Ｓ６９では、制御部１２は、変数ｉの入力ユーザの位置が、第１サイドあるいは第３サイドの何れであるかを、画面１０上におけるペン先領域の位置と手つき領域の位置とから判断する。判断の手法は、実施形態２の入力表示装置１Ｂが、図７のフローチャートのＳ２８において、入力ユーザの位置が第１サイドと第３サイドの何れであるかを判断した手法と同じである。
【００９９】
Ｓ６８において、変数ｉの入力ユーザの位置が第１サイドであると判断するとＳ７１に進み、第３サイドであると判断するとＳ７０に進む。Ｓ７１では、変数ｉの入力ユーザの位置を第１サイドに設定し、Ｓ７０では、変数ｉの入力ユーザの位置を第３サイドに設定する。
【０１００】
Ｓ７２では、制御部１２は、変数ｉの入力ユーザの位置が、第２サイドあるいは第４サイドの何れであるかを、画面１０上におけるペン先領域の位置と手つき領域の位置とから判断する。判断の手法は、実施形態２の入力表示装置１Ｂが、図７のフローチャートのＳ３７において、入力ユーザの位置が第２サイドと第４サイドの何れであるかを判断した手法と同じである。
【０１０１】
Ｓ７２において、変数ｉの入力ユーザの位置が第２サイドであると判断するとＳ７４に進み、第４サイドであると判断するとＳ７３に進む。Ｓ７４では、変数ｉの入力ユーザの位置を第２サイドに設定し、Ｓ７３では、変数ｉの入力ユーザの位置を第４サイドに設定する。
【０１０２】
Ｓ７０、Ｓ７１、Ｓ７３、あるいはＳ７４にて、変数ｉの入力ユーザの位置を設定すると、Ｓ７５に進む。Ｓ７５では、変数ｉを１減算し、Ｓ６５に戻る。これにより、複数の入力ユーザの位置を検出することができる。
【０１０３】
図１２に示すフローチャートの処理にて、複数の入力ユーザの位置が設定されると、図１３のフローチャートの処理を、位置を設定した入力ユーザの数だけ並行して実施する。
【０１０４】
Ｓ８１では、メニュー表示の指示であるか否かを判断し、メニュー表示の指示である場合は、Ｓ８２に進み、図１２の処理にて設定された方向に対してメニューを表示して、処理を終了する。
【０１０５】
一方、メニュー表示の指示でない場合はＳ８３に進む。Ｓ８３では、制御部１２は、ペン先領域の中心座標を算出して、メニュー表示の位置であるか否かを判断し、メニュー表示の位置である場合はＳ８４に進み、メニュー表示の位置でない場合はＳ８６に進む。
【０１０６】
Ｓ８４では、画面１０よりペン先がアップＵＰされたか否かを判断し、ペン先がアップされたことを検出するとＳ８５に進み、ペン先がアップされた位置のメニュー項目を実行する。
【０１０７】
Ｓ８６では、入力処理としてメニューで選択されている処理を行い、Ｓ８７にてペン先の位置を検出し、Ｓ８８にてペン先がアップされたか否かを判断して、ペン先がアップされるまで、Ｓ８６〜Ｓ８８の処理を繰り返す。
【０１０８】
これにより、複数の入力ユーザがそれぞれ異なる処理を要求した場合においても、並行してそれぞれの処理を行うため、結果として複数人のユーザ入力に対して、メニューを適切な方向に表示することができる。
【０１０９】
〔ソフトウェアによる実現例〕
入力表示装置１Ａ〜１Ｄの制御部１２は、集積回路（ＩＣチップ）等に形成された論理回路（ハードウェア）によって実現してもよいし、ＣＰＵ（Central Processing Unit）を用いてソフトウェアによって実現してもよい。
【０１１０】
後者の場合、入力表示装置１Ａ〜１Ｄは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１１】
〔まとめ〕
本発明の態様１に係る入力表示装置（１Ａ，１Ｂ，１Ｃ，１Ｄ）は、情報を表示する表示画面（表示部１１，入力表示画面１０）と、該表示画面に対する入力を検出するセンサ（静電容量センサ２）とを備え、ペン（入力ペン３１）を用いた入力操作が可能な入力表示装置であって、前記センサにて検出される入力領域について、当該入力領域の大きさに基づいて、ペン先による入力領域であるかペンを持つ手による入力領域であるかを判定する第１判定部（制御部１２，形状／手つき判定部４）と、前記第１判定部にてペン先領域および手つき領域の相互の位置関係に基づいて、前記表示画面における情報の表示方向を切り換える表示切換部（制御部１２，ユーザ位置判断部６，表示方向判定部７）とを備えたことを特徴としている。
【０１１２】
上記の構成によれば、第１判定部が、センサにて検出される入力領域について、その大きさに基づいて、ペン先によるペン先領域であるかペンを持つ手による手つき領域であるかを判定する。ペン先領域は、ペン先と想定できる領域であり、手つき領域より十分に小さいので、大きさから両者を区別することができる。
【０１１３】
表示切換部は、同一のユーザの入力操作によるものと判定されたペン先領域および手つき領域の相互の位置関係に基づいて、表示画面における情報の表示方向を切り換える。同一ユーザの入力操作による場合は、ペン先領域は手つき領域よりも必ずユーザの位置より遠い位置になるので、ペン先領域および手つき領域の相互の位置関係に基づいて、ユーザの位置を特定することができる。
【０１１４】
これにより、情報の表示方向を指示するためだけの特別な操作をユーザが行わなくとも、ユーザの画面に対する入力操作に基づいて当該ユーザの画面に対する位置を特定して、情報をユーザに適した方向に表示することが可能になる。
【０１１５】
本発明の態様２に係る入力表示装置は、上記態様１において、前記第１判定部にてペン先によると判定されたペン先領域および手つきによると判定された手つき領域の相互の距離に応じて、同一のユーザの入力操作によるペン先領域および手つき領域であるか否かを判定する第２判定部をさらに備え、前記表示切換部は、前記第２判定部にて同一ユーザのものであると判定されたペン先領域および手つき領域の相互の位置関係に基づいて、前記表示画面における情報の表示方向を切り換える構成であってもよい。
【０１１６】
上記構成によれば、第２判定部は、第１判定部にて判定されたペン先領域および手つき領域が、同一のユーザの入力操作によるものであるか否かを判定する。この判定は、例えば、同時に検出されているペン先領域と手つき領域とが、同一ユーザによるものと想定できる距離関係（範囲内）にあるか否かで判定できる。
【０１１７】
表示切換部は、同一のユーザの入力操作によるものと判定されたペン先領域および手つき領域の相互の位置関係に基づいて、表示画面における情報の表示方向を切り換える。
【０１１８】
これにより、同一ユーザによる入力操作によるものではない、ペン先と想定できる入力領域と手つきと想定できる入力領域とが、偶然に同時に検出された結果、表示が誤って切り換えられる不具合を排除できる。
【０１１９】
本発明の態様３に係る入力表示装置は、上記態様２において、前記第２判定部にて同一のユーザの入力操作によるものと判定されたペン先領域および手つき領域のうちの手つき領域の形状が縦長か横長かを判定する第３判定部を備え、前記表示切換部は、前記第２判定部にて同一のユーザの入力操作によるものと判定されたペン先領域および手つき領域の相互の位置関係と、前記第３判定部にて判定された前記手つき領域が縦長か横長かの情報とに基づいて、前記表示画面における情報の表示方向を切り換える構成であってもよい。
【０１２０】
手つき領域の形状が、縦長であるか横長であるかをみることで、入力操作を行うユーザの画面に対する位置が特定できる。
【０１２１】
上記の構成によれば、第３判定部は、同一のユーザの入力操作によるものと判定されたペン先領域および手つき領域のうちの手つき領域の形状が縦長か横長かを判定し、表示切換部は、前記第２判定部にて同一のユーザの入力操作によるものと判定されたペン先領域および手つき領域の相互の位置関係と、第３判定部にて判定された前記手つき領域が縦長か横長かの情報とに基づいて、表示画面における情報の表示方向を切り換える。
【０１２２】
二人のユーザが角をなす２辺よりそれぞれ入力操作を行った場合、二人のユーザの手つき領域の形状は、一人は縦長、もう一人は横長とになる。したがって、手つき領域の形状が縦長であるか横長であるかを判定することで、画面の４辺のうちの何れの側からの入力であるかを判断することが可能となる。
【０１２３】
本発明の態様４に係る入力表示装置は、上記態様１から３において、前記センサにて検出される入力に応じて描画表示を行う描画部をさらに備え、前記描画部は、前記表示切換部が情報の表示方向の切り換えに用いたペン先領域を描画の入力としては使用しない構成であってもよい。
【０１２４】
上記の構成によれば、切り換え後の表示に対応して入力がなされるまでの間の描画を使用しないようにできる。これは、表示切換部が、情報の表示方向を切り換える場合に、切り換え前の表示状態では切り換え後の描画位置を特定することができないためである。
【０１２５】
本発明の態様５に係る入力表示装置は、上記態様１から４において、前記第１判定部にて判定されたペン先領域が複数ある場合は、前記第２判定部は、複数のペン先領域それぞれについて、ペン先領域および手つき領域の相互の位置関係に基づいて同一のユーザの入力操作によるものと判定できる手つき領域を特定し、前記表示切換部は、前記表示画面における複数のペン先領域それぞれに応じた表示領域の情報の表示方向を、前記第２判定部にて同一のユーザの入力操作によるものと判定されたペン先領域および手つき領域の相互の位置関係に基づいて切り換える構成とすることもできる。
【０１２６】
上記の構成によれば、第２判定部は、第１判定部にてペン先領域と判定されたそれぞれについて、ペン先領域および手つき領域の相互の位置関係に基づいて同一のユーザの入力操作によるものと判定できる手つき領域を特定し、表示切換部は、表示画面における複数のペン先領域それぞれに応じた表示領域の情報の表示方向を、同一のユーザの入力操作によるものと判定されたペン先領域および手つき領域の相互の位置関係に基づいて切り換える。
【０１２７】
これにより、画面の４辺それぞれからユーザが同時に入力操作を行っている状態でも、各ユーザの位置に応じて、情報の表示方向を切り換えることができる。
【０１２８】
本発明の態様６に係る入力表示装置は、上記態様１から５において、前記表示切換部は、機能を選択するためのメニューの表示方向を切り換える構成であってもよい。
【０１２９】
本発明の各態様に係る入力表示装置は、コンピュータによって実現してもよく、この場合には、コンピュータを前記入力表示装置が備える各部として動作させることにより前記入力表示装置をコンピュータにて実現させる入力表示装置の制御プログラム、およびそれを記録したコンピュータ読み取り可能な記録媒体も、本発明の範疇に入る。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１３１】
本発明は、タッチパネルなどの入力装置を備え、特に画面を水平或いは、水平に近い状態にして使用する手書き入力表示装置に利用することができる。
【符号の説明】
【０１３２】
１Ａ〜１Ｄ  入力表示装置
２  静電容量センサ（センサ）
３  センサ駆動部／容量値受信部
４  形状／手つき判定部（第１判定部，第２判定部，第３判定部）
５  タッチ認識処理部
６  ユーザ位置判断部（表示切換部）
７  表示方向判定部（表示切換部）
８  描画情報制御部（表示切換部、描画部）
９  表示駆動部
１０  入力表示画面
１１  表示部
１２  制御部（第１判定部，第２判定部，第３判定部，表示切換部）
３０  ツールバー
３１  入力ペン（ペン）
４０  ペン先領域
４１  ペン先領域
【図１】
2014134938.tif 000003
【図２】
2014134938.tif 000004
【図３】
2014134938.tif 000005
【図４】
2014134938.tif 000006
【図５】
2014134938.tif 000007
【図６】
2014134938.tif 000008
【図７】
2014134938.tif 000009
【図８】
2014134938.tif 000010
【図９】
2014134938.tif 000011
【図１０】
2014134938.tif 000012
【図１１】
2014134938.tif 000013
【図１２】
2014134938.tif 000014
【図１３】
2014134938.tif 000015